(57)【要約】      （修正有）【課題】正極性用および負極性用の階調電圧を好適値に容易に調整でき、基準電圧発生回路を簡易に構成できる映像信号線駆動回路およびそれを備える液晶表示装置を提供する。【解決手段】映像信号線駆動回路に含まれる或るＤ／Ａ変換回路３０４０は、正極性用抵抗分圧回路３０４１と、負極性用抵抗分圧回路３０４２と、選択回路３０４３とを備え、基準電圧発生回路７００からの複数の基準電圧Ｖｒに基づき各抵抗分圧回路で生成される階調電圧から、表示制御回路２００からの極性切換制御信号φに応じて、受け取ったデジタル信号に対応する正極性の階調電圧と負極性の階調電圧とを選択回路３０４３によって交互に選択する。このことにより、基準電圧Ｖｒを直流にできるため基準電圧発生回路を簡易に構成でき、２つの抵抗分圧回路により正極性用および負極性用の階調電圧を好適値に容易に調整できる。【選択図】  図４
2006178047.tif 000002
【特許請求の範囲】
【請求項１】
画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備え、前記共通電極に印加されるべき電圧を所定の２種類の電圧の間で所定の期間毎に交互に切り替える液晶表示装置における、前記画像を表す画像信号を受け取り前記画像信号に応じて前記複数の映像信号線に電圧を印加する映像信号線駆動回路であって、
前記複数の映像信号線に印加される電圧の基準となる所定の直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする、映像信号線駆動回路。
【請求項２】
前記画像を表す画像信号に含まれる前記画素形成部に与えられるべき画素値を示すデジタル信号をアナログ電圧信号に変換し出力するＤ／Ａ変換回路を含み、
前記Ｄ／Ａ変換回路は、
前記直流電圧を分圧することにより複数の正極性の階調電圧を生成する正極性抵抗分圧回路と、
前記直流電圧を分圧することにより複数の負極性の階調電圧を生成する負極性抵抗分圧回路と、
前記複数の正極性の階調電圧および前記複数の負極性の階調電圧から、前記デジタル信号に対応する階調電圧を選択することにより、前記アナログ電圧信号を生成する選択回路と
を含むことを特徴とする、請求項１に記載の映像信号線駆動回路。
【請求項３】
画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極と、前記画像を表す画像信号を受け取り前記画像信号に応じて前記複数の映像信号線に電圧を印加する映像信号線駆動回路と、前記複数の走査信号線を選択的に駆動する走査信号線駆動回路と、前記共通電極を駆動する共通電極駆動回路と、前記映像信号線駆動回路に対し前記複数の映像信号線に印加される電圧の基準となる所定の直流電圧を与える基準電圧発生回路とを備え、
前記共通電極駆動回路は、前記共通電極に印加されるべき電圧を所定の２種類の電圧の間で所定の期間毎に交互に切り替え、
前記映像信号線駆動回路は、前記基準電圧発生回路からの前記直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする、液晶表示装置。
【請求項４】
前記映像信号線駆動回路は、前記画像を表す画像信号に含まれる前記画素形成部に与えられるべき画素値を示すデジタル信号をアナログ電圧信号に変換し出力するＤ／Ａ変換回路を含み、
前記Ｄ／Ａ変換回路は、
前記基準電圧発生回路からの前記直流電圧を分圧することにより複数の正極性の階調電圧を生成する正極性抵抗分圧回路と、
前記基準電圧発生回路からの前記直流電圧を分圧することにより複数の負極性の階調電圧を生成する負極性抵抗分圧回路と、
前記複数の正極性の階調電圧および前記複数の負極性の階調電圧から、前記デジタル信号に対応する階調電圧を選択することにより、前記アナログ電圧信号を生成する選択回路と
を含むことを特徴とする、請求項３に記載の液晶表示装置。
【請求項５】
画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備え、前記共通電極に印加されるべき電圧を所定の２種類の電圧の間で所定の期間毎に交互に切り替える液晶表示装置における、前記画像を表す画像信号を受け取り前記画像信号に応じて前記複数の映像信号線に電圧を印加する映像信号線駆動方法であって、
前記複数の映像信号線に印加される電圧の基準となる所定の直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする、映像信号線駆動方法。
【請求項６】
画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備える液晶表示装置において、前記画像を表す画像信号を受け取り前記画像信号に応じて前記複数の映像信号線に電圧を印加する映像信号線駆動ステップと、前記複数の走査信号線を選択的に駆動する走査信号線駆動ステップと、前記共通電極を駆動する共通電極駆動ステップと、前記映像信号線駆動ステップに対し前記複数の映像信号線に印加される電圧の基準となる所定の直流電圧を与える基準電圧発生ステップとを含む液晶表示装置の駆動方法であって、
前記共通電極駆動ステップでは、前記共通電極に印加されるべき電圧を所定の２種類の電圧の間で所定の期間毎に交互に切り替え、
前記映像信号線駆動ステップでは、前記基準電圧発生ステップにおいて与えられる前記直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする、液晶表示装置の駆動方法。
【発明の詳細な説明】
【技術分野】
【０００１】
本発明は、アクティブマトリクス型の液晶表示装置に関するものであり、更に詳しくは、アクティブマトリクス型の共通電極が交流駆動される液晶表示装置における映像信号線駆動回路に関する。
【背景技術】
【０００２】
一般に液晶表示装置では、液晶の劣化を抑えると共に表示品位を維持するために交流化駆動が行われている。この交流化駆動方式としては、１フレーム毎に液晶への印加電圧の極性を反転させる駆動方式（フレーム反転駆動方式）が知られている。しかし、この駆動方式によれば表示の際にフリッカ等の表示不具合が発生し易いため、近年では、１水平走査線毎に印加電圧の正負極性を反転させつつ１フレーム毎にも正負極性を反転させる駆動方式（「ライン反転駆動方式」と呼ばれる）や、垂直・水平方向に隣り合う画素毎に印加電圧の正負極性を反転させつつ１フレーム毎にも正負極性を反転させる駆動方式（「ドット反転駆動方式」と呼ばれる）が採用されている。
【０００３】
このドット反転駆動方式では、フリッカに対するキラーパターンが比較的複雑である為、フリッカが発生しにくく高品位の表示が可能である。しかしこの方式では、液晶パネルの共通電極には直流電圧が印加されており、液晶パネルに印加すべき映像信号の方の極性を共通電極の電位を中心としてその上下の所定電圧に切り替えるため、液晶パネル駆動用ドライバから出力される映像信号の電圧値が大きくなり、ドライバに高い耐圧性能が要求される。そこで、ドライバに高い耐圧性能が要求されない（それ故低コストの）ライン反転駆動方式を採用した液晶表示装置が広く用いられている。
【０００４】
図１（ａ）は、このライン反転駆動方式を採用した従来の液晶表示装置の構成を示すブロック図である。この従来の液晶表示装置は、表示制御回路２００と、映像信号線駆動回路３００（「列電極駆動回路」または「データ線駆動回路」とも呼ばれる）と、走査信号線駆動回路（「行電極駆動回路」または「ゲート線駆動回路」とも呼ばれる）４００と、共通電極駆動回路５００と、アクティブマトリクス型の液晶パネル６００と、映像信号線駆動回路３００に後述する階調電圧の基準となる電圧を与える基準電圧発生回路７００とを備えている。
【０００５】
ここで、共通電極駆動回路５００は、表示制御回路２００からの極性切換制御信号φに応じて所定の２種類の電圧を交互に選択することにより共通電極の電位を変化させている。また、基準電圧発生回路７００は、映像信号線駆動回路３００において表示画面に所定の階調を表示する駆動用映像信号が生成されるときの基準となる複数の基準電圧Ｖｒを生成し、生成された複数の基準電圧Ｖｒを映像信号線駆動回路３００に与える。この基準電圧Ｖｒの電位は、液晶パネル６００の交流化駆動のために表示制御回路２００からの極性切換制御信号φに応じて変化する。この電位変化の位相は各階調により異なっており、例えばノーマリホワイトの場合、黒表示に対応する階調電圧を決定する基準電圧は共通電極の電位変化と逆位相になるよう変化し、白表示に対応する階調電圧を決定する基準電圧は共通電極の電位変化と同位相になるよう変化する。
【０００６】
さらに映像信号線駆動回路３００の具体的な構成について説明する。この映像信号線駆動回路３００は、所定のクロックでスタートパルスを転送するシフトレジスタ部と、この転送されたスタートパルスをサンプリングパルスとして受け取ることによりデジタル画像信号Ｄａをラッチするデータラッチ部と、ラッチされたデジタル画像信号Ｄａに含まれるデジタルデータ信号の電圧をシフトさせるレベルシフタ部と、電圧をシフトされたデジタルデータ信号をアナログ電圧信号に変換するＤ／Ａ変換部と、アナログ電圧信号を対応する映像信号線に印加するための出力バッファ部とを備えている。このうちＤ／Ａ変換部についてさらに詳しく説明する。
【０００７】
図７は、上記Ｄ／Ａ変換部に含まれる或るＤ／Ａ変換回路９０４の詳細な構成を説明するための図である。Ｄ／Ａ変換部は１本の映像信号線あたり１つのＤ／Ａ変換回路を含んでおり、Ｄ／Ａ変換回路９０４は、Ｄ／Ａ変換部に含まれる任意のＤ／Ａ変換回路である。このＤ／Ａ変換回路９０４は、レベルシフタ部からデジタル信号Ｄｉｎを受け取り、これをアナログ信号Ａｏｕｔに変換する。具体的には、Ｄ／Ａ変換回路９０４は、基準電圧発生回路７００からの基準電圧Ｖｒ（ここでは２つの基準電圧Ｖｒａ，Ｖｒｂ）に基づき生成される階調表示のためのアナログ電圧（以下「階調電圧」という）Ｖ０〜Ｖ６３から、受け取ったデジタル信号Ｄｉｎに相当する階調電圧を選択し、アナログ信号Ａｏｕｔとして出力する。
【０００８】
このＤ／Ａ変換回路９０４は、抵抗分圧回路を構成する６３個の抵抗素子Ｒ０〜Ｒ６３と、この抵抗分圧回路の両端に加えられる電圧を受け取る第１および第２の端子９０４１ａ，９０４１ｂと、選択回路９０４２とを備える。ここで、基準電圧Ｖｒａは、表示制御回路２００からの極性切換制御信号φに応じて、第１の端子９０４１ａまたは第２の端子９０４１ｂに対し１水平走査期間毎に交互に与えられる。また、基準電圧Ｖｒｂは、基準電圧Ｖｒａより小さい電圧であって、基準電圧Ｖｒａが与えられる端子とは異なる第１または第２の端子９０４１ａ，９０４１ｂに対し１水平走査期間毎に交互に与えられる。このように、第１および第２の端子９０４１ａ，９０４１ｂには、基準電圧Ｖｒａまたは基準電圧Ｖｒｂ１が水平走査期間毎に交互に与えられる。
【０００９】
抵抗素子Ｒ０〜Ｒ６３は、第１の端子９０４１ａと第２の端子９０４１ｂとの間に印加される電圧を分圧する。すなわち、抵抗素子Ｒ０〜Ｒ６３は、第１の端子９０４１ａから基準電圧Ｖｒａを受け取り、第２の端子９０４１ｂから基準電圧Ｖｒｂを受け取る所定の水平走査期間中は、上記分圧により、第２の端子９０４１ｂの電位を基準として正極性の階調電圧Ｖ０〜Ｖ６３を生成し、選択回路９０４２に与える。その後、抵抗素子Ｒ０〜Ｒ６３は、第１の端子９０４１ａから基準電圧Ｖｒｂを受け取り、第２の端子９０４１ｂから基準電圧Ｖｒａを受け取る次の水平走査期間中には、上記分圧により、第２の端子９０４１ｂの電位を基準として負極性の階調電圧−Ｖ０〜−Ｖ６３を生成し、選択回路９０４２に与える。
【００１０】
このように、階調電圧も極性切換制御信号φに応じて変化するので、アナログ信号Ａｏｕｔも変化する。また、共通電極の電位は、1水平走査期間毎に反転する。その結果、映像信号線駆動回路３００へ出力される映像信号の電位差はドット反転駆動に比べて小さくて済むため、ドライバに高い耐圧性能が要求されることがない。
【特許文献１】特開平１０−３０１５３８号公報
【特許文献２】特開２００１−１００７１１号公報
【発明の開示】
【発明が解決しようとする課題】
【００１１】
しかし、図７に示すＤ／Ａ変換回路９０４の構成では、階調電圧の（第２の端子９０４１ｂの電位を基準とした）正負極性が反転される場合にも同一の抵抗分圧回路が使用されるため、正極性の階調電圧と負極性の階調電圧とをともに好適な値に設定することが難しく回路設計には困難が伴う。
【００１２】
また、基準電圧発生回路７００は、極性切換制御信号φに応じた交流の基準電圧Ｖｒを生成しなければならないので、その回路構成が複雑となる。さらに、交流の基準電圧Ｖｒを、表示すべき輝度に合わせて適宜に調整（いわゆるガンマ調整）を行う場合、基準電圧発生回路７００の回路構成はより複雑となる。
【００１３】
そこで本発明では、正極性の階調電圧と負極性の階調電圧とをともに好適値に調整することが容易にでき、基準電圧発生回路の回路構成を簡易にできる映像信号線駆動回路およびそれを備える液晶表示装置を提供することを目的とする。
【課題を解決するための手段】
【００１４】
第１の発明は、画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備え、前記共通電極に印加されるべき電圧を所定の２種類の電圧の間で所定の期間毎に交互に切り替える液晶表示装置における、前記画像を表す画像信号を受け取り前記画像信号に応じて前記複数の映像信号線に電圧を印加する映像信号線駆動回路であって、
前記複数の映像信号線に印加される電圧の基準となる所定の直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする。
【００１５】
第２の発明は、第１の発明において、
前記画像を表す画像信号に含まれる前記画素形成部に与えられるべき画素値を示すデジタル信号をアナログ電圧信号に変換し出力するＤ／Ａ変換回路を含み、
前記Ｄ／Ａ変換回路は、
前記直流電圧を分圧することにより複数の正極性の階調電圧を生成する正極性抵抗分圧回路と、
前記直流電圧を分圧することにより複数の負極性の階調電圧を生成する負極性抵抗分圧回路と、
前記複数の正極性の階調電圧および前記複数の負極性の階調電圧から、前記デジタル信号に対応する階調電圧を選択することにより、前記アナログ電圧信号を生成する選択回路と
を含むことを特徴とする。
【００１６】
第３の発明は、画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極と、前記画像を表す画像信号を受け取り前記画像信号に応じて前記複数の映像信号線に電圧を印加する映像信号線駆動回路と、前記複数の走査信号線を選択的に駆動する走査信号線駆動回路と、前記共通電極を駆動する共通電極駆動回路と、前記映像信号線駆動回路に対し前記複数の映像信号線に印加される電圧の基準となる所定の直流電圧を与える基準電圧発生回路とを備え、
前記共通電極駆動回路は、前記共通電極に印加されるべき電圧を所定の２種類の電圧の間で所定の期間毎に交互に切り替え、
前記映像信号線駆動回路は、前記基準電圧発生回路からの前記直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする。
【００１７】
第４の発明は、第４の発明において、
前記映像信号線駆動回路は、前記画像を表す画像信号に含まれる前記画素形成部に与えられるべき画素値を示すデジタル信号をアナログ電圧信号に変換し出力するＤ／Ａ変換回路を含み、
前記Ｄ／Ａ変換回路は、
前記基準電圧発生回路からの前記直流電圧を分圧することにより複数の正極性の階調電圧を生成する正極性抵抗分圧回路と、
前記基準電圧発生回路からの前記直流電圧を分圧することにより複数の負極性の階調電圧を生成する負極性抵抗分圧回路と、
前記複数の正極性の階調電圧および前記複数の負極性の階調電圧から、前記デジタル信号に対応する階調電圧を選択することにより、前記アナログ電圧信号を生成する選択回路と
を含むことを特徴とする。
【００１８】
第５の発明は、画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備え、前記共通電極に印加されるべき電圧を所定の２種類の電圧の間で所定の期間毎に交互に切り替える液晶表示装置における、前記画像を表す画像信号を受け取り前記画像信号に応じて前記複数の映像信号線に電圧を印加する映像信号線駆動方法であって、
前記複数の映像信号線に印加される電圧の基準となる所定の直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする。
【００１９】
第６の発明は、画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備える液晶表示装置において、前記画像を表す画像信号を受け取り前記画像信号に応じて前記複数の映像信号線に電圧を印加する映像信号線駆動ステップと、前記複数の走査信号線を選択的に駆動する走査信号線駆動ステップと、前記共通電極を駆動する共通電極駆動ステップと、前記映像信号線駆動ステップに対し前記複数の映像信号線に印加される電圧の基準となる所定の直流電圧を与える基準電圧発生ステップとを含む液晶表示装置の駆動方法であって、
前記共通電極駆動ステップでは、前記共通電極に印加されるべき電圧を所定の２種類の電圧の間で所定の期間毎に交互に切り替え、
前記映像信号線駆動ステップでは、前記基準電圧発生ステップにおいて与えられる前記直流電圧に基づき前記共通電極の電位を基準とした正極性および負極性の電圧をともに含む複数の階調電圧を生成し、前記共通電極の電位を基準とした前記画素電極に印加される電圧の極性が前記所定の期間毎に逆になるよう、生成された前記複数の階調電圧から前記画像信号に対応する正極性または負極性の階調電圧を前記所定の期間毎に交互に選択し、選択された階調電圧を前記複数の映像信号線に印加することを特徴とする。
【発明の効果】
【００２０】
第１の発明によれば、共通電極の電位を基準とした画素電極に印加される電圧の極性が所定の期間毎に逆になるよう選択された階調電圧を映像信号線に印加するのでドライバに高い耐圧性能が要求されることがなく、かつ例えば外部の基準電圧発生回路から供給される基準電圧が直流でよいので、基準電圧発生回路の回路構成を簡易にでき電圧値を適宜に調整（例えばガンマ調整）することが容易な映像信号線駆動回路を提供することができる。
【００２１】
第２の発明によれば、ドライバに高い耐圧性能が要求されることなく、かつ基準電圧発生回路の回路構成を簡易にでき電圧値の適宜の調整を容易にできるとともに、正極性用抵抗分圧回路および負極性用抵抗分圧回路に含まれる各抵抗素子の抵抗値を適宜の値に設定し基準電圧を適宜に設定することにより、正極性の階調電圧と負極性の階調電圧とを好適値に設定（設計）することが容易な映像信号線駆動回路を提供することができる。
【００２２】
第３の発明によれば、第１の発明と同様に、ドライバに高い耐圧性能が要求されることがなく、かつ基準電圧発生回路の回路構成を簡易にでき電圧値の適宜の調整が容易な液晶表示装置を提供することができる。
【００２３】
第４の発明によれば、第２の発明と同様に、ドライバに高い耐圧性能が要求されることなく、かつ基準電圧発生回路の回路構成を簡易にでき電圧値の適宜の調整を容易にできるとともに、正極性用抵抗分圧回路および負極性用抵抗分圧回路に含まれる各抵抗素子の抵抗値を適宜の値に設定し基準電圧を適宜に設定することにより、正極性の階調電圧と負極性の階調電圧とを好適値に設定することが容易な液晶表示装置を提供することができる。
【００２４】
第５の発明によれば、第１の発明と同様の効果を奏する。
【００２５】
第６の発明によれば、第３の発明と同様の効果を奏する。
【発明を実施するための最良の形態】
【００２６】
以下、本発明の一実施形態について添付図面を参照して説明する。
＜１．  全体の構成および動作＞
図１（ａ）は、ライン反転駆動方式を採用した従来の液晶表示装置とほぼ同様の構成を有する、本発明の一実施形態に係る液晶表示装置の構成を示すブロック図である。この液晶表示装置は、表示制御回路２００と、映像信号線駆動回路３００と、走査信号線駆動回路４００と、共通電極駆動回路５００と、アクティブマトリクス型の液晶パネル６００と、映像信号線駆動回路３００に所定の基準となる電圧を与える基準電圧発生回路７００とを備えている。なお、この液晶表示装置は、映像信号線駆動回路３００に含まれるＤ／Ａ変換回路の構成が従来の構成とは異なる。この点につき詳しくは後述する。
【００２７】
この液晶表示装置における表示部としての液晶パネル６００は、外部の所定の映像ソース（ＣＰＵなど）から受け取る画像データＤｖの表す画像における水平走査線にそれぞれが対応する複数本の走査信号線（行電極）と、それら複数本の走査信号線のそれぞれと交差する複数本の映像信号線（列電極）と、それら複数本の走査信号線と複数本の映像信号線との交差点にそれぞれ対応して設けられた複数の画素形成部とを含む。各画素形成部の構成は、基本的には従来のアクティブマトリクス型液晶パネルにおける構成と同様である（詳細は後述）。また、この液晶パネル６００は、各画素形成部に含まれる画素電極に共通的に設けられかつ液晶層を挟んで各画素電極と対向するように配置された共通電極を備えている。
【００２８】
本実施形態では、液晶パネル６００に表示すべき画像を表す画像データＤｖと、表示動作のタイミング信号であるアドレス信号ＡＤｗ（以下「表示制御信号ＡＤｗ」という）とが、外部の映像ソースから表示制御回路２００に送られる。
【００２９】
表示制御回路２００は、表示制御信号ＡＤｗと画像データＤｖに基づき、液晶パネル用の表示のため映像信号線駆動回路３００に与えられるソース用クロック信号ＳＣＫおよびソース用スタートパルス信号ＳＳＰと、表示のため走査信号線駆動回路４００に与えられるゲート用クロック信号ＧＣＫおよびゲート用スタートパルス信号ＧＳＰとを含む各種信号を生成する。これらの信号は公知であるため詳しい説明は省略する。また、表示制御回路２００は、外部の映像ソースから受け取った映像データを表示メモリに書き込んだ後に読み出して、ソースドライバ用デジタル画像信号Ｄａとして出力する。さらに、表示制御回路２００は、上記クロック信号等に基づき、液晶パネル６００の交流化駆動のための極性切換制御信号φを生成する。このようにして、表示制御回路２００によって生成される信号のうち、デジタル画像信号Ｄａは映像信号線駆動回路３００に、極性切換制御信号φは、映像信号線駆動回路３００および共通電極駆動回路５００に、それぞれ供給される。
【００３０】
映像信号線駆動回路３００には、上記のように、液晶パネル６００に表示すべき画像を表すデータが画素単位でデジタル画像信号Ｄａとして供給されると共に、タイミングを示す信号としてソース用クロック信号ＳＣＫ、ソース用スタートパルス信号ＳＳＰ、および極性切換制御信号φなどが供給される。映像信号線駆動回路３００は、これらのデジタル画像信号Ｄａ、ソース用クロック信号ＳＣＫ、ソース用スタートパルス信号ＳＳＰ、および極性切換制御信号φなどに基づき、液晶パネル６００を駆動するためのアナログ電圧（以下「駆動用映像信号」ともいう）Ｄ（１），Ｄ（２），Ｄ（３），…を生成し、これを液晶パネル６００の各映像信号線に印加する。この駆動用映像信号Ｄ（１），Ｄ（２），Ｄ（３），…は、液晶パネル６００の交流化駆動のために、極性切換制御信号φに応じてその極性が反転する。
【００３１】
走査信号線駆動回路４００は、ゲート用クロック信号ＧＣＫおよびゲート用スタートパルス信号ＧＳＰに基づき、液晶パネル６００における走査信号線を１水平走査期間ずつ後述の所定順に選択するために各走査信号線に印加すべき走査信号Ｇ（１），Ｇ（２）、Ｇ（３），…を生成し、全走査信号線のそれぞれを順に選択するためのアクティブな走査信号の各走査信号線への印加を１垂直走査期間を周期として繰り返す。
【００３２】
共通電極駆動回路５００は、液晶パネル６００の共通電極に与えるべき電圧である共通電圧Ｖｃｏｍを生成する。本実施形態では、映像信号線の電圧の振幅を抑えるために、交流化駆動に応じて共通電極の電位をも変化させている。すなわち、共通電極駆動回路５００は、表示制御回路２００からの極性切換制御信号φに応じて、１水平走査期間において２種類の基準電圧（例えば０Ｖおよび５Ｖ）の間で切り換わる電圧であって１垂直走査期間（１フレーム）毎にも切り替わる電圧を生成し、これを共通電圧Ｖｃｏｍとして液晶パネル６００の共通電極に供給する。
【００３３】
液晶パネル６００では、上記のようにして映像信号線に、映像信号線駆動回路３００によってデジタル画像信号Ｄａに基づく駆動用の映像信号Ｄ（１），Ｄ（２），Ｄ（３），…が印加され、走査信号線には、走査信号線駆動回路４００によって走査信号Ｇ（１），Ｇ（２）、Ｇ（３），…が印加され、共通電極には、共通電極駆動回路５００によって共通電圧Ｖｃｏｍが印加される。これにより液晶パネル６００は、外部の映像ソースから受け取った画像データＤｖの表す画像を表示する。
【００３４】
基準電圧発生回路７００は、映像信号線駆動回路３００において表示画面に所定の階調を表示する駆動用映像信号が生成されるときの基準となる複数の基準電圧Ｖｒを生成し、生成された複数の基準電圧Ｖｒを映像信号線駆動回路３００に与える。映像信号線駆動回路３００はこれらの基準電圧Ｖｒに基づき駆動用映像信号を生成するが、この動作については後述する。
【００３５】
＜２．  表示制御回路＞
図１（ｂ）は、上記の液晶表示装置における表示制御回路２００の構成を示すブロック図である。この表示制御回路２００は、入力制御回路２０と表示メモリ２１とレジスタ２２とタイミング発生回路２３とメモリ制御回路２４と極性切換制御回路２５とを備えている。
【００３６】
この表示制御回路２００が外部の映像ソースから受け取る画像データＤｖおよび表示制御信号ＡＤｗは、入力制御回路２０により、画像データＤＡと表示制御データＤｃとに振り分けられ、画像データＤＡは表示メモリ２１に書き込まれ、表示制御データＤｃはレジスタ２２に書き込まれる。
【００３７】
タイミング発生回路（以下「ＴＧ」と略記する）２３は、レジスタ２２に保持される上記表示制御データに基づき、ソース用クロック信号ＳＣＫ、ソース用スタートパルス信号ＳＳＰ、ゲート用クロック信号ＧＣＫ、ゲート用スタートパルス信号ＧＳＰ、およびその他のタイミング信号を生成する。
【００３８】
メモリ制御回路２４は、表示メモリ２１の動作を制御する。この制御に応じて、液晶パネル６００に表示すべき画像を表すデジタル画像信号Ｄａが表示メモリ２１から読み出され、表示制御回路２００から出力される。このデジタル画像信号Ｄａは、既述のように映像信号線駆動回路３００に供給される。
【００３９】
極性切換制御回路２５は、ＴＧ２３によって生成されたゲート用クロック信号ＧＣＫおよびゲート用スタートパルス信号ＧＳＰに基づき、上記の極性切換制御信号φを生成する。この極性切換制御信号φは、液晶パネル６００の交流化駆動のための極性反転のタイミングを決定する制御信号であって、既述のように映像信号線駆動回路３００および共通電極駆動回路５００に供給される。
【００４０】
＜３．  液晶パネル＞
図２（ａ）は、本実施形態における液晶パネル６００の構成を示す模式図であり、図２（ｂ）は、この液晶パネルの一部（４つの画素に相当する部分）６１０の等価回路図である。
【００４１】
この液晶パネル６００は、映像信号線駆動回路３００に接続される複数の映像信号線Ｌｓと、走査信号線駆動回路４００に接続される複数の走査信号線Ｌｇとを備え、当該複数の映像信号線Ｌｓと当該複数の走査信号線Ｌｇとは、各映像信号線Ｌｓと各走査信号線Ｌｇとが交差するように格子状に配設されている。そして、当該複数の映像信号線Ｌｓと当該複数の走査信号線Ｌｇとの交差点に対応して複数の画素形成部Ｐｘがそれぞれ設けられている。各画素形成部Ｐｘは、図２（ｂ）に示すように、対応する交差点を通過する映像信号線Ｌｓにソース端子が接続されるとともに、対応する交差点を通過する走査信号線Ｌｇにゲート端子が接続されたＴＦＴ（Ｔｈｉｎ  Ｆｉｌｍ  Ｔｒａｎｓｉｓｔｏｒ）１０と、そのＴＦＴ１０のドレイン端子に接続された画素電極Ｅｐと、上記複数の画素形成部Ｐｘに共通的に設けられた共通電極（「対向電極」ともいう）Ｅｃと、上記複数の画素形成部Ｐｘに共通的に設けられ画素電極Ｅｐと共通電極Ｅｃとの間に挟持された液晶層とからなる。そして、画素電極Ｅｐと共通電極Ｅｃとそれらの間に挟持された液晶層とにより画素容量Ｃｐが形成される。なお、上記構成からわかるように、いずれかの走査信号線Ｌｇに印加される走査信号Ｇ（ｋ）がアクティブになると、その走査信号線が選択されて、その走査信号線に接続される（各画素形成部Ｐｘの）ＴＦＴ１０が導通状態となり、そのＴＦＴ１０に接続される画素電極Ｅｐには、駆動用映像信号Ｄ（ｊ）が映像信号線Ｌｓを介して印加される。これにより、その印加された駆動用映像信号Ｄ（ｊ）の電圧（共通電極Ｅｃの電位を基準とする電圧）が、その画素電極Ｅｐを含む画素形成部Ｐｘに画素値として書き込まれる。
【００４２】
上記のような画素形成部Ｐｘは、マトリクス状に配置されて画素形成マトリクスを構成し、これに伴い、画素形成部Ｐｘに含まれる画素電極Ｅｐも、マトリクス状に配置されて画素電極マトリクスを構成する。ところで、画素形成部Ｐｘの主要部である画素電極Ｅｐは、液晶パネルに表示される画像の画素と１対１に対応し同一視できる。そこで、以下では、説明の便宜上、画素形成部Ｐｘまたは画素電極Ｅｐと画素とを同一視するものとし、「画素形成マトリクス」または「画素電極マトリクス」を単に「画素マトリクス」ともいう。
【００４３】
図２（ａ）において、各画素形成部Ｐｘに付されている“＋”は、或るフレームにおいて当該画素形成部Ｐｘを構成する画素液晶に（すなわち共通電極Ｅｃを基準として画素電極Ｅｐに）正極性の電圧が印加されることを意味し、“−”は、当該フレームにおいて当該画素形成部Ｐｘを構成する画素液晶に（すなわち共通電極Ｅｃを基準として画素電極Ｅｐに）負極性の電圧が印加されることを意味し、これら各画素形成部Ｐｘに付された“＋”と“−”により、画素マトリクスにおける極性パターンが示される。図２（ａ）に示すように本実施形態では、画素液晶への印加電圧の正負極性を画素マトリクスにおける各行毎に反転させ且つ１フレーム毎にも反転させる駆動方式であるライン反転駆動方式が採用されている。
【００４４】
＜４．  映像信号線駆動回路＞
＜４．１  映像信号線駆動回路の構成＞
図３は、上記映像信号線駆動回路３００の構成を示すブロック図である。以下、図３を参照し各構成要素について説明する。この映像信号線駆動回路３００は、図１に示す表示制御回路２００から出力されるソース用クロック信号ＳＣＫおよびソース用スタートパルス信号ＳＳＰを受け取ることにより所定のサンプリングパルスＳｍｐを出力するシフトレジスタ部３０１と、表示制御回路２００から出力されるデジタル画像信号Ｄａと上記サンプリングパルスＳｍｐを受け取ることによりデジタル画像信号Ｄａに含まれる画素値を示すデータをラッチするデータラッチ部３０２と、このデータラッチ部３０２によりラッチされたデータの信号電圧をシフトさせるレベルシフタ部３０３と、このレベルシフタ部３０３により電圧をシフトされたデジタルデータ信号をアナログ電圧信号に変換するＤ／Ａ変換部３０４と、このＤ／Ａ変換部３０４からのアナログ電圧信号を対応する映像信号線Ｌｓに印加するための出力バッファ部３０５とを備える。なお、これらの構成要素は、Ｄ／Ａ変換部３０４を除き、従来の映像信号線駆動回路の構成要素とほぼ同様である。以下、これら各構成要素の動作について図３を参照して説明する。
【００４５】
＜４．２  映像信号線駆動回路の動作＞
シフトレジスタ部３０１は、複数個のフリップフロップ回路を直列に接続した構成であり、上記ソース用クロック信号ＳＣＫに同期して上記ソース用スタートパルス信号ＳＳＰを各段において順次転送することにより、各段から所定のサンプリングパルスＳｍｐを順次出力する。
【００４６】
データラッチ部３０２は、上記シフトレジスタ部３０１の各段に対応して１つずつ設けられた複数のラッチ回路を備えており、上記サンプリングパルスＳｍｐによりデジタル画像信号Ｄａに含まれるデータをサンプリングし、その後サンプリングされたデータを所定の期間出力し続ける。具体的には、画素マトリクスにおける或る行（例えば１行目）の画素形成部Ｐｘに与えられるデジタルデータは、データラッチ部３０２に含まれるサンプリングメモリ回路（不図示）に一旦記憶され、記憶されたデータはデータラッチ部３０２に含まれるホールドメモリ回路（不図示）に与えられる。このホールドメモリ回路は、所定のラッチ信号の立ち上がりで対応するサンプリングメモリ回路の各段からの出力信号を取り込み、その出力信号を出力信号Ｄｈとしてレベルシフタ部３０３に与える。
【００４７】
レベルシフタ部３０３は、上記シフトレジスタ部３０１の各段に対応して１つずつ設けられた複数のレベルシフタ回路を備えており、上記データラッチ部３０２からの出力信号Ｄｈを受け取り、Ｄ／Ａ変換部３０４において適正な入力信号レベルになるよう当該信号の電圧レベルをシフトさせ（一般的には上昇させ）、レベルシフタ信号Ｄｓとして出力する。
【００４８】
Ｄ／Ａ変換部３０４は、上記シフトレジスタ部３０１の各段に対応して１つずつ設けられた複数のＤ／Ａ変換回路を備えており、レベルシフタ部３０３から出力されるデジタル信号であるレベルシフタ信号Ｄｓを受け取り、これを上記デジタルデータに対応するアナログ電圧信号Ｖａに変換する。具体的には、Ｄ／Ａ変換部３０４は、基準電圧発生回路７００からの複数の基準電圧Ｖｒに基づき生成される階調表示のための複数種類のアナログ電圧（以下「階調電圧」という）から、受け取ったデジタル信号に相当する階調電圧を選択しアナログ電圧信号Ｖａとして出力する。なお、Ｄ／Ａ変換部３０４に対して、基準電圧発生回路７００から複数の基準電圧Ｖｒが与えられるのは、Ｄ／Ａ変換部３０４において生成される階調電圧をより正確に設定するためであり、このように複数の基準電圧が与えられる構成については周知である（例えば特許文献１および特許文献２を参照）。Ｄ／Ａ変換部３０４の詳しい構成については後述する。
【００４９】
出力バッファ部３０５は、上記シフトレジスタ部３０１の各段に対応して１つずつ設けられた複数の出力バッファ回路を備えており、この出力バッファ回路は、例えばボルテージフォロワ回路で構成されている。出力バッファ部３０５は、上記アナログ電圧信号Ｖａを映像信号Ｄｊとして映像信号線Ｌｓに出力する。次に、Ｄ／Ａ変換部３０４の詳しい構成について図を参照して説明する。
【００５０】
＜４．３  Ｄ／Ａ変換部の構成および動作＞
図４は、Ｄ／Ａ変換部３０４に含まれる或るＤ／Ａ変換回路３０４０の詳細な構成を説明するための図である。このＤ／Ａ変換回路３０４０は、シフトレジスタ部３０１の第１段に対応して設けられたＤ／Ａ変換回路である。なお、全てのＤ／Ａ変換回路は同様の構成であるため、便宜上、上記構成例で説明しその他の回路の説明は省略する。このＤ／Ａ変換回路３０４０は、レベルシフタ部３０３から出力されるレベルシフタ信号Ｄｓのうち対応するレベルシフタ信号Ｄｓ１を受け取り、これをアナログ電圧信号Ｖａ１に変換する。具体的には、Ｄ／Ａ変換回路３０４０は、基準電圧発生回路７００からの複数の基準電圧Ｖｒに基づき生成される階調表示のためのアナログ電圧信号から、受け取ったデジタル信号（上記レベルシフタ信号Ｄｓ１）に相当するアナログ電圧信号を極性切換制御信号φに応じて選択し、アナログ電圧信号Ｖａ１として出力する。このアナログ電圧信号Ｖａ１は、出力バッファ部３０５のうちの対応する出力バッファ回路３０５０に入力され、映像信号Ｄ（１）として出力される。
【００５１】
このＤ／Ａ変換回路３０４０は、正極性用抵抗分圧回路３０４１と、負極性用抵抗分圧回路３０４２と、選択回路３０４３とを備える。正極性用抵抗分圧回路３０４１は、それぞれ直列に接続された複数の抵抗素子からなる第１から第６までの正極性用抵抗群ＲＰ０〜ＲＰ５を含んでおり、基準電圧発生回路７００からの複数の基準電圧Ｖｒをさらに細かく分圧して選択回路３０４３に与える。具体的には、例えば、複数の基準電圧Ｖｒのうちの第１の正極性用基準電圧ＶｒＨ１と第２の正極性用基準電圧ＶｒＨ２との間の電圧は、第１の正極性用抵抗群ＲＰ０によりさらに細かく分圧されて選択回路３０４３に与えられる。また、負極性用抵抗分圧回路３０４２も正極性用抵抗分圧回路３０４１と同様にそれぞれ直列に接続された複数の抵抗素子からなる第１から第６までの負極性抵抗群ＲＮ０〜ＲＮ５を含んでおり、基準電圧発生回路７００からの複数の基準電圧Ｖｒをさらに細かく分圧して選択回路３０４３に与える。
【００５２】
なお、ここでの正極性用基準電圧とは、図２（ｂ）に示す共通電極Ｅｃを基準として画素電極Ｅｐに正極性の電圧が印加される場合の基準となる電圧を意味し、負極性用基準電圧とは、共通電極Ｅｃを基準として画素電極Ｅｐに負極性の電圧が印加される場合の基準となる電圧を意味する。
【００５３】
このように、前述した図７に示す従来のＤ／Ａ変換回路とは異なり、このＤ／Ａ変換回路３０４０は、正極性用および負極性用の基準電圧をそれぞれ受け取り分圧する構成である。よって、正極性用抵抗分圧回路３０４１および負極性用抵抗分圧回路３０４２に含まれる各抵抗素子の抵抗値を適宜の値に設定（設計）することにより、個別に設定された正極性用の基準電圧と負極性用の基準電圧とをそれぞれ好適な電圧値に分圧することができる。
【００５４】
図５は、Ｄ／Ａ変換回路３０４０の一部分における詳細な構成を示す図である。この図５では、第１の正極性用抵抗群ＲＰ０および第６の負極性用抵抗群ＲＰ５により構成される抵抗分圧回路が示されている。この第１の正極性用抵抗群ＲＰ０は、８つの抵抗素子ＲＰ０１〜ＲＰ０８からなり、第１の正極性用基準電圧ＶｒＨ１と第２の正極性用基準電圧ＶｒＨ２との間の電圧を分圧することにより、正極性の階調電圧ＶＨ０〜ＶＨ８を生成し、選択回路３０４３に与える。また、第６の負極性用抵抗群ＲＮ５は、８つの抵抗素子ＲＮ５１〜ＲＮ５８からなり、第１の正極性用基準電圧ＶｒＨ１と第６の負極性用基準電圧ＶｒＬ６との間の電圧を分圧することにより、負極性の階調電圧ＶＬ５６〜ＶＬ６３を生成し、選択回路３０４３に与える。このように、正極性用抵抗分圧回路３０４１および負極性用抵抗分圧回路３０４２により、正極性の階調電圧ＶＨ０〜ＶＨ６３および負極性の階調電圧ＶＬ０〜ＶＬ６３を生成することができる。これらの階調電圧についてさらに説明する。
【００５５】
図６は、共通電圧信号Ｖｃｏｍおよびアナログ電圧信号Ｖａの電位変化を示す波形図である。より詳しくは、図６（ａ）は、画素形成部Ｐｘにおいて最も暗い表示（黒表示）が行われる場合のアナログ電圧信号Ｖａの電位変化を示す波形図であり、図６（ｂ）は、画素形成部Ｐｘにおいて最も明るい表示（白表示）が行われる場合のアナログ電圧信号Ｖａの電位変化を示す波形図であり、図６（ｃ）は、極性切換信号φの波形図である。なお、本液晶表示装置は、液晶層に印加される電圧が大きいほど暗い表示となる、いわゆるノーマリーホワイト型の表示装置である。
【００５６】
ここで、共通電圧信号Ｖｃｏｍは、液晶パネル６００の共通電極に与えられる電圧信号であり、図６（ｃ）に示す極性切換信号φに応じて１水平走査期間毎かつ１垂直走査期間毎に電圧値が切り替わる。また、アナログ電圧信号Ｖａは、画素形成部Ｐｘに与えられるデジタルデータに相当する電圧信号であり、共通電圧Ｖｃｏｍを基準とした電圧極性が１水平走査期間毎に逆になるよう、極性切換信号φに応じて１水平走査期間毎かつ１垂直走査期間毎に電圧値が切り替わる。このような液晶モジュールの交流化駆動方式がライン反転駆動方式と呼ばれることについては前述した。
【００５７】
図６（ａ）を参照すると、アナログ電圧信号Ｖａは、図６（ｃ）に示す極性切換信号φの立ち上がりまたは立ち下がりに応じて１水平走査期間毎に階調電圧ＶＨ０と階調電圧ＶＬ０とに交互に切り替わるため、共通電圧信号Ｖｃｏｍとの電位差（すなわち図２（ａ）における共通電極Ｅｃを基準として画素電極Ｅｐに印加される電圧）は、アナログ電圧信号Ｖａの電圧が階調電圧ＶＨ０であるとき＋Ｖｌｃ０［Ｖ］となり、階調電圧ＶＬ０であるとき−Ｖｌｃ０［Ｖ］となる。よって、液晶層に印加される電圧の絶対値は常に｜Ｖｌｃ０｜［Ｖ］となるので、画素形成部Ｐｘにおいて最も暗い表示（黒表示）が継続して行われる。同様に、図６（ｂ）を参照すると、アナログ電圧信号Ｖａは、図６（ｃ）に示す極性切換信号φの立ち上がりまたは立ち下がりに応じて１水平走査期間毎に階調電圧ＶＨ６３と階調電圧ＶＬ６３とに交互に切り替わるため、共通電圧信号Ｖｃｏｍとの電位差は、アナログ電圧信号Ｖａの電圧が階調電圧ＶＨ６３であるとき＋Ｖｌｃ６３［Ｖ］となり、階調電圧ＶＬ６３であるとき−Ｖｌｃ６３［Ｖ］となる。よって、液晶層に印加される電圧の絶対値は常に｜Ｖｌｃ６３｜［Ｖ］となるので、画素形成部Ｐｘにおいて最も明るい表示（白表示）が継続して行われる。
【００５８】
以上のように、アナログ電圧信号Ｖａは、極性切換信号φに応じて正極性および負極性の階調電圧が交互に切り替えられることにより生成される。具体的には、図４に示すＤ／Ａ変換回路３０４０の選択回路３０４３は、各階調電圧に対応するアナログスイッチを含んでおり、表示制御回路２００からの極性切換制御信号φに応じて、受け取ったデジタル信号（レベルシフタ信号Ｄｓ１）に対応する正極性の階調電圧と負極性の階調電圧とが交互に選択されるよう対応するアナログスイッチを制御することにより、アナログ電圧信号Ｖａ１を生成し出力する。
【００５９】
このように、基準電圧発生回路７００からの複数の基準電圧は、共通電極を交流駆動する従来の液晶表示装置における基準電圧発生回路からの基準電圧とは異なり、直流電圧（変化しない電圧）である。よって、基準電圧発生回路７００は、簡易な構成で済む。例えば定電圧回路から出力される所定の電圧を抵抗分圧回路等により複数の基準電圧を生成するような簡易な構成で済む。また、前述したガンマ調整を行う場合、基準電圧発生回路７００は、例えば定電圧回路から出力される所定の電圧を、可変抵抗を含む抵抗分圧回路およびバッファ回路等により適宜の電圧になるよう調整する構成など、低コストで簡易な構成で済む。
【００６０】
＜５．  効果＞
本実施形態における映像信号線駆動回路３００およびそれを備える液晶表示装置では、共通電極の電位は１水平走査期間毎に変化するのでドライバに高い耐圧性能が要求されることがなく、かつ正極性用抵抗分圧回路３０４１および負極性用抵抗分圧回路３０４２に含まれる各抵抗素子の抵抗値を適宜の値に設定して基準電圧発生回路７００からの正極性用の基準電圧と負極性用の基準電圧とをそれぞれ適宜の値に設定することにより、正極性の階調電圧と負極性の階調電圧とを好適値に設定することが容易にできる。また、基準電圧発生回路７００から出力すべき複数の基準電圧が直流でよいので、基準電圧発生回路７００の回路構成を簡易にできガンマ調整等の電圧調整を簡易で低コストな構成で行うことができる。
【００６１】
＜６．  変形例＞
上記実施形態では、正極性用抵抗分圧回路３０４１および負極性用抵抗分圧回路３０４２に含まれるそれぞれの抵抗素子の個数は同数であるが、正極性用抵抗分圧回路３０４１および負極性用抵抗分圧回路３０４２に与えられる基準電圧の個数が異なる場合、正極性の階調電圧と負極性の階調電圧とが同数生成されるよう、上記抵抗素子の個数が異なる構成であってもよい。
【００６２】
上記実施形態では、ライン反転駆動方式が採用されているが、ｎ本（ｎは２以上の自然数）の水平走査線毎に印加電圧の正負極性を反転させつつ１フレーム毎にも正負極性を反転させる駆動方式（「ｎライン反転駆動方式」と呼ばれる）が採用されてもよいし、フレーム反転駆動方式が採用されてもよい。ここで、１ドット反転駆動方式（またはｎドット反転駆動方式）は、一般的に共通電極の電位が反転されることなく液晶パネルに印加すべき映像信号の極性を反転させるため、ドライバに高い耐圧性能が要求され、採用することができないが、擬似的なドット反転が実現されるように隣り合う１組の走査信号線を映像信号線毎に交互に入れ替えて配線するいわゆる疑似ドット反転駆動方式であれば採用してもよい。
【００６３】
上記実施形態では、基準電圧発生回路７００は、映像信号線駆動回路３００の外部に設けられるが、内部に設けられてもよい。また、映像信号線駆動回路３００は、液晶パネル６００の内部に一体化されて設けられてもよい。
【図面の簡単な説明】
【００６４】
【図１】本発明の一実施形態に係る液晶表示装置の構成を示すブロック図である。
【図２】上記一実施形態における液晶パネルの構成を示す模式図（ａ）および等価回路図（ｂ）である。
【図３】上記一実施形態における映像信号線駆動回路の構成を示すブロック図である。
【図４】上記一実施形態におけるＤ／Ａ変換部に含まれる或るＤ／Ａ変換回路の詳細な構成を説明するための図である。
【図５】上記一実施形態におけるＤ／Ａ変換回路の一部分における詳細な構成を示す図である。
【図６】上記一実施形態における共通電圧信号Ｖｃｏｍおよびアナログ電圧信号Ｖａの電位変化を示す波形図である。
【図７】従来の液晶表示装置におけるＤ／Ａ変換部に含まれる或るＤ／Ａ変換回路の詳細な構成を説明するための図である。
【符号の説明】
【００６５】
１０      …ＴＦＴ（薄膜トランジスタ）
２００    …表示制御回路
３００    …映像信号線駆動回路
３０１    …シフトレジスタ部
３０２    …データラッチ部
３０３    …レベルシフタ部
３０４    …Ｄ／Ａ変換部
３０５    …出力バッファ部
４００    …走査信号線駆動回路
５００    …共通電極駆動回路
６００    …液晶パネル
７００    …基準電圧発生部
３０４０  …Ｄ／Ａ変換回路
３０４１  …正極性用抵抗分圧回路
３０４２  …負極性用抵抗分圧回路
３０４３  …選択回路
３０５０  …出力バッファ回路
Ｌｓ      …映像信号線（列電極）
Ｌｇ      …走査信号線（行電極）
Ｐｘ      …画素形成部（画素）
Ｃｐ      …画素容量
Ｅｐ      …画素電極
Ｅｃ      …共通電極（対向電極）
Ｖｃｏｍ  …共通電圧
ＳＣＫ    …ソース用クロック信号
ＳＳＰ    …ソース用スタートパルス信号
ＧＣＫ    …ゲート用クロック信号
ＧＳＰ    …ゲート用スタートパルス信号
φ        …極性切換制御信号
Ｄａ      …デジタル画像信号
Ｖａ      …アナログ電圧信号
Ｖｒ      …基準電圧
ＶＨ０〜ＶＨ６３  …正極性の階調電圧
ＶＬ０〜ＶＬ６３  …負極性の階調電圧
【図１】
2006178047.tif 000003
【図２】
2006178047.tif 000004
【図３】
2006178047.tif 000005
【図４】
2006178047.tif 000006
【図５】
2006178047.tif 000007
【図６】
2006178047.tif 000008
【図７】
2006178047.tif 000009